(57)【要約】【課題】映像信号を確実に探索することができる映像表示装置を提供する。【解決手段】プロジェクタは、複数の映像ソースからの映像信号をそれぞれ入力する複数の入力端子のうち、一の入力端子を選択するための選択手段と、選択手段によって入力端子を順番に選択させ、選択された入力端子ごとに映像信号が入力されているか否かを探索する探索手段と、探索手段における映像信号の入力の有無の探索順序を決定するための決定手段とを備える。複数の入力端子のうちの第１の入力端子は、認証リクエストに応じてプロジェクタの認証処理を開始し、認証に成功したときに第１の映像信号を供給開始する第１の映像ソース、および認証処理を介さずに第２の映像信号を供給開始する第２の映像ソースのいずれか一方に接続される。決定手段は、第１の映像信号の入力の有無を確認した後に、第２の映像信号の入力の有無を確認するように探索順序を決定する。【選択図】図２
2011087176.tif 000002
【特許請求の範囲】
【請求項１】
映像信号にて表わされる映像を表示部に表示する映像表示装置であって、
複数の映像ソースから供給される映像信号をそれぞれ入力するための複数の入力端子と、
前記複数の入力端子のうちの一の入力端子を選択するための選択手段と、
前記選択手段によって入力端子を順番に選択させるとともに、選択された入力端子ごとに映像信号が入力されているか否かを探索するための探索手段と、
前記映像信号の入力が確認された入力端子からの映像信号による映像を前記表示部に表示させるための表示手段と、
前記探索手段における映像信号の入力の有無の探索順序を決定するための決定手段とを備え、
前記複数の入力端子は、第１の入力端子を含み、
前記第１の入力端子は、認証リクエストに応じて前記映像表示装置の認証処理を開始し、認証に成功したときに前記映像表示装置に第１の映像信号を供給開始する第１の映像ソース、および前記認証処理を介さずに前記映像表示装置に第２の映像信号を供給開始する第２の映像ソースのいずれか一方に接続可能に構成され、
前記決定手段は、前記第１の映像信号の入力の有無を確認した後に、前記第２の映像信号の入力の有無を確認するように、前記探索順序を決定する、映像表示装置。
【請求項２】
前記決定手段は、前記探索手段が実行される前に前記選択手段によって前記第１の映像信号が選択されており、かつ、前記第１の入力端子に前記第１の映像信号の入力が確認された場合には、前記探索手段が、前記第２の映像信号とは異なる映像信号から探索を開始するように、前記探索順序を決定する、請求項１に記載の映像表示装置。
【発明の詳細な説明】
【技術分野】
【０００１】
この発明は、映像表示装置に関し、より特定的には、複数の映像ソースが接続可能な映像表示装置に関する。
【背景技術】
【０００２】
映像表示装置としてのプロジェクタには、複数の映像ソース（外部映像機器）が接続可能である。たとえば特開２００６−２８５１６７号公報（特許文献１）には、複数の映像ソースとしてのＰＣ（Personal Computer）、ＶＴＲ（Videotape Recorder）、ＤＶＤ（Digital Versatile Disc）が接続され、これらの映像ソースのうちの所望の映像ソースに基づく画像光を生成してスクリーン上に投写するプロジェクタが開示される。
【０００３】
この特許文献１に記載されるプロジェクタでは、使用可能な映像ソースから所望の映像ソースを選択して投写表示を行なうため、複数の映像ソースのうちどの映像ソースが使用可能か、どのような表示が行なわれているか等の探索が行なわれる。
【０００４】
具体的には、特許文献１に記載される映像ソースの探索支援方法は、一の映像ソースに基づく表示がなされている場合に、使用者による映像ソース探索開始操作を受け付けて、プロジェクタで表示可能な映像ソースの一覧を含む探索画面を表示する第１のステップと、プロジェクタで表示可能な映像ソースのうち該一の映像ソース以外の残りの映像ソースについて、映像信号が検出されるまで所定の順番で映像信号の有無を検出する手順を実行する第２のステップとを有する。そして、上記第２のステップにおいて、映像信号が検出された場合には、当該映像ソースに基づく表示を開始し、一度も映像信号が検出されなかった場合には映像信号が検出されなかった旨の情報を探索画面に表示する。
【先行技術文献】
【特許文献】
【０００５】
【特許文献１】特開２００６−２８５１６７号公報
【発明の概要】
【発明が解決しようとする課題】
【０００６】
ここで、上述した複数の映像ソースが接続可能なプロジェクタにおいては、映像ソースから供給される映像信号を入力するための入力端子として、異なる映像ソースから供給される複数種類の映像信号に対応した入力端子を備えるものがある。
【０００７】
一例として、ＤＶＩ（Digital Visual Interface）仕様の映像信号と、ＨＤＣＰ（High-Bandwidth Digital Content Protection System）仕様の映像信号とに対応したＤＶＩ−Ｄ端子を有するプロジェクタを想定する。
【０００８】
この場合、プロジェクタのＤＶＩ−Ｄ端子は、ＤＶＩ規格に準拠した伝送路を介して、外部の映像ソースに接続される。なお、伝送路には、ＴＭＤＳ（Transition Minimized Differential Signals）方式で映像ソースの映像信号をプロジェクタに送信するためのＴＭＤＳラインと、映像ソースとプロジェクタとの間での制御やステータスの双方向通信を行うためのＤＤＣ（Display Data Channel）ラインとが含まれている。ＤＤＣラインによって、映像ソースは、プロジェクタから、プロジェクタの表示能力や仕様を示すＥＤＩＤ（Extended Display Identification Data）情報を読み出すことができる。
【０００９】
ＤＶＩ−Ｄ端子に入力された映像信号は、プロジェクタ内部のレシーバ回路に与えられる。レシーバ回路は、入力映像信号が、ＤＶＩ仕様の映像信号である場合には、該入力映像信号をデジタル信号に変換して映像信号を処理する回路である。映像信号処理回路は、レシーバ回路から出力された映像信号を投写映像信号に処理して出力する。
【００１０】
一方、レシーバ回路は、入力映像信号がＨＤＣＰ仕様の映像信号である場合には、ＨＤＣＰに従う認証および暗号の復号化を行なう。ＨＤＣＰは、ＤＶＩに従って伝送されるデータの暗号化を実現するために用いられる。これにより、伝送路上を伝送される映像信号などのコンテンツが不正にコピーされるのを防止できる。
【００１１】
ＨＤＣＰによる認証は、最初に、送信側（映像ソース）と受信側（プロジェクタ）とが双方向に通信をして相互認証のための情報をやり取りする。当該情報に基づき映像ソースはプロジェクタを認証する。認証結果、プロジェクタを認証できた場合には、映像ソースは、予め共通に有した鍵を用いて映像信号を暗号化した後に、伝送路（ＴＭＤＳライン）を介してプロジェクタに送信する。プロジェクタは、予め共有している鍵を用いて暗号を復号する。
【００１２】
一方、映像ソースがプロジェクタを認証できない場合には、映像ソースがプロジェクタへの映像信号の送信を拒絶する。この拒絶の態様は、映像ソースによって異なっており、一例として、プロジェクタに対して映像信号の送信を停止するものがある。あるいは、映像信号にスクランブルをかけた信号をプロジェクタに対して送信するものがある。また、このような信号を送信する場合においても、プロジェクタによっては、スクランブルをかけた信号を出力し続けるものや、所定期間当該信号を送信した後に、送信を停止するものなどがある。
【００１３】
ここで、このようなＤＶＩ−Ｄ端子を有するプロジェクタにおいて、上述した映像ソースの探索を行なう場合を想定する。この場合、プロジェクタは、ＤＶＩ−Ｄ端子を選択するとともに、選択したＤＶＩ−Ｄ端子に映像信号が供給されているか否かを、該映像信号に含まれている同期信号の有無を確認することにより、識別する。
【００１４】
そのため、ＤＶＩ−Ｄ端子にＨＤＣＰ仕様の映像信号が入力されているときに、ＤＶＩ仕様の映像信号の探索が行なわれた場合には、たとえ入力映像信号にスクランブルがかかった状態であっても、該映像信号に含まれている同期信号の検出結果に基づいて、ＤＶＩ仕様の映像信号の入力があると誤って判断される可能性がある。これにより、スクリーン上にはスクランブルがかけられた映像信号による映像が表示されるとともに、ＨＤＣＰ仕様の映像信号の探索に失敗するという不具合が生じてしまう。
【００１５】
それゆえ、この発明は、かかる課題を解決するためになされたものであり、その目的は、映像信号を確実に探索することができる映像表示装置を提供することである。
【課題を解決するための手段】
【００１６】
この発明のある局面に従う映像表示装置は、映像信号にて表わされる映像を表示部に表示する映像表示装置であって、複数の映像ソースから供給される映像信号をそれぞれ入力するための複数の入力端子と、複数の入力端子のうちの一の入力端子を選択するための選択手段と、選択手段によって入力端子を順番に選択させるとともに、選択された入力端子ごとに映像信号が入力されているか否かを探索するための探索手段と、映像信号の入力が確認された入力端子からの映像信号による映像を表示部に表示させるための表示手段と、探索手段における映像信号の入力の有無の探索順序を決定するための決定手段とを備える。複数の入力端子は、第１の入力端子を含む。第１の入力端子は、認証リクエストに応じて映像表示装置の認証処理を開始し、認証に成功したときに映像表示装置に第１の映像信号を供給開始する第１の映像ソース、および認証処理を介さずに映像表示装置に第２の映像信号を供給開始する第２の映像ソースのいずれか一方に接続可能に構成される。決定手段は、第１の映像信号の入力の有無を確認した後に、第２の映像信号の入力の有無を確認するように、探索順序を決定する。
【００１７】
好ましくは、決定手段は、探索手段が実行される前に選択手段によって第１の映像信号が選択されており、かつ、第１の入力端子に第１の映像信号の入力が確認された場合には、探索手段が、第２の映像信号とは異なる映像信号から探索を開始するように、探索順序を決定する。
【発明の効果】
【００１８】
この発明によれば、映像信号を確実に探索することができる。
【図面の簡単な説明】
【００１９】
【図１】この発明の実施の形態に係る映像表示装置により映像を投影する場合の周辺装置の構成を説明する図である。
【図２】図１におけるプロジェクタの構成を示す図である。
【図３】図２の一部（レシーバ部、映像信号処理回路）を詳細に示す図である。
【図４】図３の映像信号処理回路の詳細を示す図である。
【図５】メニュー画面の一例を示す図である。
【図６】一般的な映像信号の探索処理手順を説明するフローチャートである。
【図７】この発明の実施の形態における映像信号の探索処理手順を説明するフローチャートである。
【図８】図７に示した映像信号切替処理手順を説明するフローチャートである。
【発明を実施するための形態】
【００２０】
以下、本発明の実施の形態について、図面を参照しながら詳細に説明する。なお、図中の同一または相当する部分には同一符号を付してその説明は繰返さない。
【００２１】
図１は、この発明の実施の形態に係る映像表示装置により映像を投影する場合の周辺装置の構成を説明する図である。
【００２２】
図１を参照して、本実施の形態に係る映像表示装置（以下、「プロジェクタ」とも記す。）１は、液晶デバイスを利用して映像を投影する液晶プロジェクタであって、スクリーンＳＣに液晶デバイスにより表示される映像の光を投写することにより、映像を投影（表示）する。投写面は、スクリーンＳＣに限定されず、壁面であってもよい。
【００２３】
プロジェクタ１は、ユーザが操作するリモコン（リモートコントローラの略）４から送信される赤外線変調されたリモコン信号を受信するリモコン受信部２０と、入力部９とを備える。リモコン信号には、プロジェクタ１を遠隔制御するためのコマンド信号が含まれる。入力部９は、複数の入力端子を含み、各入力端子からは異なる種類の映像信号が入力可能である。なお、本実施の形態では、一例として、入力部９は、４個の入力端子９Ａ１〜９Ａ３，９Ｄ１を含むと想定する。
【００２４】
入力部９には、デジタル伝送路３とアナログ伝送路７とが接続される。デジタル伝送路３は、ＤＶＩ準拠の通信ケーブルを含む。該通信ケーブルは、入力部９の入力端子９Ｄ１に接続され、外部の映像ソース２Ｄとプロジェクタ１との間でＤＶＩに従う信号を伝送する。
【００２５】
ここで、入力端子９Ｄ１は、複数種類の映像信号に対応している。プロジェクタ１は、入力端子９Ｄ１を介して複数種類の映像ソースに接続可能とされる。入力端子９Ｄ１は、たとえば、ＤＶＩ−Ｄ端子であり、ＤＶＩ仕様の映像信号（以下、「ＲＧＢ  Ｄｉｇｉｔａｌ信号」とも記す。）と、ＨＤＣＰ仕様の映像信号（以下、「ＨＤＣＰ信号」とも記す。）とに対応するものと想定する。また、映像ソース２Ｄは、ＤＶＤ（Digital Versatile Disc）再生装置、Ｂｌｕ−Ｒａｙディスク再生装置などのデジタル信号を出力する映像ソースを想定する。
【００２６】
アナログ伝送路７は、複数の有線または無線の伝送路を含む。各伝送路は、映像ソース２Ａのそれぞれとプロジェクタ１との間で信号を伝送する。映像ソース２Ａは、ＰＣ、ＶＴＲなどのアナログ信号を出力する映像ソースを想定する。
【００２７】
入力端子９Ａ１は、たとえば、Ｄ−ＳＵＢ端子であり、ＰＣ１から供給されるＲＧＢアナログ信号（以下、「ＲＧＢ  ＰＣ  Ａｎａｌｏｇ信号」とも記す。）に対応するものと想定する。
【００２８】
入力端子９Ａ２は、たとえば、ＳＣＡＲＴ（Syndicat des Constructeurs d&apos;Appareils Radiorecepteurs et Televiseurs）端子であり、ＰＣ２から供給されるＲＧＢアナログ信号（以下、「ＲＧＢ  ＳＣＡＲＴ信号」とも記す。）に対応するものと想定する。
【００２９】
入力端子９Ａ３は、たとえば、Ｖｉｄｅｏ端子であり、ＶＴＲから供給されるアナログＶｉｄｅｏ信号（以下、「Ｖｉｄｅｏ信号」とも記す。）に対応するものと想定する。
【００３０】
なお、説明を簡単にするため、映像ソース２Ａから送信されるアナログ信号は映像信号であると想定し、映像ソース２Ｄから供給されるデジタル信号は映像信号であると想定する。映像信号とともに音声信号も伝送されるが、説明を簡単にするために、音声信号の伝送およびプロジェクタ１における音声信号処理の説明は略す。
【００３１】
図２は、図１におけるプロジェクタ１の構成を示す図である。
図２を参照して、プロジェクタ１は、レシーバ部１０と、映像信号処理回路１１と、ＯＳＤ（On Screen Display）回路５０と，ＤＡＣ（Digital Analog Converter）１２と、ＣＰＵ１３と、液晶表示駆動部１４と、光学系１５と、電源ユニット１７と、コネクタ１９と、ランプ１６とを備える。
【００３２】
ＣＰＵ１３は、リモコン４（図１）からリモコン受信部２０を介して入力したコマンド信号に基づいて、制御指令を生成してプロジェクタ１の各部へ出力する。
【００３３】
レシーバ部１０は、受信したデジタル信号をアナログ信号に変換するＡＤＣ（Analog Digital Converter）機能と、ＨＤＣＰに従う認証機能および暗号の復号機能とを有する。
【００３４】
映像信号処理回路１１は、入力部９から入力された映像信号を表示のための信号に処理して出力する。具体的には、映像信号処理回路１１は、入力部９からの映像信号を１フレーム（１画面）ごとにフレームメモリ（図示せず）に書き込むとともに、フレームメモリに記憶された映像を読み出す。そして、この書き込みと読み出しの処理の過程において、各種の映像処理を施すことにより、入力された映像信号を変換して投写映像用の映像信号である映像データを生成する。
【００３５】
ＯＳＤ回路５０は、映像信号処理回路１１から出力される映像信号に、ＣＰＵ１３から与えられる情報に基づく画像データの信号を重畳して、重畳された後に映像信号を出力する。具体的には、ＯＳＤ回路５０は、ＣＰＵ１３からの指示に従い、プロジェクタ１に接続可能な映像ソース名、または、プロジェクタ１で表示可能な映像信号名の一覧からなるメニュー画面を表す映像信号を生成し、映像信号に重畳する。
【００３６】
ＤＡＣ１２は、ＯＳＤ回路５０から出力された映像信号を入力し、アナログ信号に変換して液晶表示駆動部１４へ出力する。
【００３７】
液晶表示駆動部１４、光学系１５およびランプ１６は、ＤＡＣ１２から出力される映像信号に従って、ＣＰＵ１３の制御の下に、スクリーンＳＣに映像を表示するための「表示部」に相当する。
【００３８】
表示部の動作について説明する。照明装置であるランプ１６は、たとえば超高圧水銀ランプ、メタルハライドランプ、キセノンランプなどからなる。ランプ１６は、コネクタ１９を介してプロジェクタ１に着脱自在に取り付けられる。ランプ１６からは、略平行光となって光が液晶表示駆動部１４に出射される。
【００３９】
液晶表示駆動部１４は、図示しないレンズおよびプリズムを含む光学系と、Ｒ，Ｇ，Ｂの各液晶パネルとを含む。液晶表示駆動部１４では、内部の図示しないレンズ系を通過したランプ１６からの光は、Ｒ，Ｇ，Ｂの各液晶パネルに光量分布が均一となるように入射する。レンズ系を介して入射された光のうち、青色波長帯の光（以下、「Ｂ光」という）、赤色波長帯の光（以下、「Ｒ光」という）、緑色波長帯の光（以下、「Ｇ光」という）は、略平行光でＲ，Ｇ，Ｂの各液晶パネルに入射する。各液晶パネルは、ＤＡＣ１２から与えられるＲ，Ｇ，Ｂに対応した映像信号に応じて駆動され、その駆動状態に応じて光を変調する。液晶パネルによって変調されたＲ光，Ｇ光，Ｂ光は、ダイクロイックプリズムによって色合成された後に、投写レンズによって、スクリーンＳＣ上に拡大投写される。投写レンズは、投写光をスクリーンＳＣに結像させるためのレンズ群と、これらレンズ群の一部を光軸方向に変化させて投写映像のズーム状態およびフォーカス状態を調整するためのアクチュエータを備えている。
【００４０】
電源ユニット１７は、図示しないＡＣ（Alternating Current）電源のコンセントに差し込まれるプラグ１８を経由して電源が供給されて、供給された電源をプロジェクタ１内の各部に供給する。
【００４１】
図３は、図２の一部（レシーバ部１０、映像信号処理回路１１）を詳細に示す図である。なお、図３では入力部９とレシーバ部１０とを結ぶデータ・信号の伝送方向を示す矢印の向きは、本来であれば、後述するＨＤＣＰの双方向通信による認証処理のために双方向とすべきであるが、ここでは、その図示を省略して、映像信号の通信方向のみを指す片方向矢印としている。
【００４２】
図３を参照して、入力部９は、入力端子９Ａ１，９Ａ２，９Ａ３，９Ｄ１を含む。入力端子９Ａ１〜９Ａ３のそれぞれには、アナログ伝送路７の各伝送路によって映像ソース２Ａ（図１）が接続される。また、入力端子９Ｄ１には、デジタル伝送路３のケーブルによって映像ソース２Ｄ（図１）が接続される。各入力端子には、接続された映像ソース２Ａまたは２Ｄからアナログまたはデジタル映像信号が供給されて、供給された信号を入力する。
【００４３】
ここでは、上述したように、入力端子９Ａ１は、ＲＧＢ  ＰＣ  Ａｎａｌｏｇ信号を入力し、入力端子９Ａ２は、ＲＧＢ  ＳＣＡＲＴ信号を入力し、入力端子９Ａ３は、Ｖｉｄｅｏ信号を入力するというように、各入力端子は異なる種類の映像信号を入力する。また、入力端子９Ｄ１は、ＲＧＢ  Ｄｉｇｉｔａｌ信号またはＨＤＣＰ信号を入力する。
【００４４】
レシーバ部１０は、レシーバ１０２と、ＥＥＰＲＯＭ１０４，１０６と、スイッチＳＷとを含む。レシーバ１０２は、映像信号をプロジェクタに送信するためのＴＭＤＳラインを介して入力端子９Ｄ１に接続される。
【００４５】
ＥＥＰＲＯＭ１０４は、ＤＶＩ用のＥＤＩＤ情報を格納するための不揮発性メモリである。ＥＥＰＲＯＭ１０６は、ＨＤＣＰ用のＥＤＩＤ情報を格納するための不揮発性メモリである。ＥＥＰＲＯＭ１０６には、ＨＤＣＰ用のＥＤＩＤ情報に加えて、予め映像ソース２Ｄ１と共有している鍵が格納されている。ＥＥＰＲＯＭ１０４および１０６は、スイッチＳＷ、映像ソース２Ｄ１とプロジェクタ１との間での制御やステータスの双方向通信を行うためのＤＤＣラインを介して入力端子９Ｄ１に接続される。
【００４６】
ＣＰＵ１３は、プロジェクタ１において、ユーザによって映像信号の種類が切り替えられるごとに、ユーザによって切り替えられた映像信号の種類に応じて、スイッチＳＷを制御する。具体的には、映像信号がＲＧＢ  Ｄｉｇｉｔａｌ信号に切り替えられた場合には、ＣＰＵ１３は、スイッチＳＷを制御して、入力端子９Ｄ１をＥＥＰＲＯＭ１０４に接続させる。この場合、ＤＤＣラインは、ＤＶＩ用のＤＤＣラインとして機能する。
【００４７】
一方、映像信号がＨＤＣＰ信号に切り替えられた場合には、ＣＰＵ１３は、スイッチＳＷを制御して、入力端子９Ｄ１をＥＥＰＲＯＭ１０６に接続させる。この場合、ＤＤＣラインは、ＨＤＣＰ用のＤＤＣラインとして機能する。
【００４８】
映像信号がＨＤＣＰ信号に切り替えられると、映像ソース２ＤとＥＥＰＲＯＭ１０６とは、入力端子９Ｄ１、ＤＤＣラインおよびスイッチＳＷを介して、双方向に通信しながら認証情報を用いて、ＨＤＣＰに従う手順で認証処理をする。
【００４９】
ＥＥＰＲＯＭ１０６は、スイッチＳＷを介してＤＤＣラインに接続されると、認証リクエストを映像ソース２Ｄに送信する。認証リクエストを受信した映像ソース２Ｄは、上述した認証処理を実行し、認証結果を要求元のＥＥＰＲＯＭ１０６に送信する。ＥＥＰＲＯＭ１０６は、認証結果を受信し、受信した認証結果（認証に成功したか否か）を示す認証検知信号を生成してＣＰＵ１３に出力する。
【００５０】
認証に成功した後は、映像ソース２Ｄから暗号化されたＨＤＣＰ信号が送信開始されるので、レシーバ１０２は、入力端子９Ｄ１およびＴＭＤＳラインを介してＨＤＣＰ信号を受信する。レシーバ１０２は、受信したＨＤＣＰ信号を予め有する鍵を用いて復号化した後に、映像信号処理回路１１に出力する。
【００５１】
一方、認証に失敗した後は、映像ソース２ＤからＨＤＣＰ信号にスクランブルをかけた信号が送信開始されるので、レシーバ１０２は、入力端子９Ｄ１およびＴＤＭＳラインを介してスクランブル化された信号を受信する。レシーバ１０２は、受信したスクランブル化された信号をそのまま映像信号処理回路１１に出力する。
【００５２】
図４には、図３の映像信号処理回路１１の詳細が示される。映像信号処理回路１１に入力される映像信号には、レシーバ１０２から入力されるデジタル映像信号（ＲＧＢ  Ｄｉｇｉｔａｌ信号またはＨＤＣＰ信号）と、入力部９から入力するアナログ映像信号（ＲＧＢ  ＰＣ  Ａｎａｌｏｇ信号、ＲＧＢ  ＳＣＡＲＴ信号、Ｖｉｄｅｏ信号）とが含まれる。
【００５３】
図４を参照して、映像信号処理回路１１は、入力信号切替部１１０と、同期信号検出部１１２と、映像信号処理部１１４とを含む。
【００５４】
入力信号切替部１１０は、入力端子９Ａ１〜９Ａ３，９Ｄ１の選択スイッチであり、ＣＰＵ１３からの選択信号に従い、４つの入力端子のうちのいずれか１つを選択する。これにより、選択された入力端子に対応する映像ソースが、映像信号を供給している場合、プロジェクタ１は、当該映像信号による映像を投写する。
【００５５】
同期信号検出部１１２は、入力信号切替部１１０により選択されている映像ソースから映像信号が供給されているか否かを、映像信号に含まれている同期信号の有無を確認することにより、識別する。同期信号検出部１１２は、映像信号の入力の有無を伝える識別信号をＣＰＵ１３に出力する。
【００５６】
映像信号処理部１１４は、アナログ映像信号をＡ／Ｄ変換し、デジタル映像信号として出力する。具体的には、映像信号処理部１１４は、映像信号がＲＧＢ  ＰＣ  Ａｎａｌｏｇ信号またはＲＧＢ  ＳＣＡＲＴ信号の場合には、そのままＡ／Ｄ変換処理を含む映像信号処理を施す。映像信号がＶｉｄｅｏ信号の場合には、内蔵するデコーダにより、コンポーネント信号に変換してからＡ／Ｄ変換処理を含む映像信号処理を施す。
【００５７】
次に、映像信号処理部１１４は、映像信号を、表示部で表示するのに適した信号とするために、映像データを図示しないフレームメモリに書き込み、所定の条件で読み出すなどの映像信号処理を行なう。映像信号処理には、デジタル映像信号で表わされる映像を拡大および縮小することにより液晶パネルの持つ解像度に合わせるスケーリング処理や、デジタル映像信号の階調値を液晶パネルで表示するのに適した階調値に変換するガンマ補正などが含まれる。映像信号は、このような映像信号処理が施された後に、ＯＳＤ回路５０を経由してＤＡＣ１２に出力する。
【００５８】
動作において、入力信号切替部１１０は、入力端子９Ａ１〜９Ａ３，９Ｄ１から入力される映像信号のうち、同期信号検出部１１２に出力すべき信号を、ＣＰＵ１３からの選択信号に基づき決定する。たとえば、ＣＰＵ１３が受信したリモコン信号のコマンドに基づき生成した選択信号が、ＨＤＣＰ信号を指示するとき、入力信号切替部１１０は、入力端子９Ｄ１から入力されるＨＤＣＰ信号を同期信号検出部１１２に出力するように動作する。これにより、ＨＤＣＰ信号による画像信号（階調信号）がＤＡＣ１２を介して液晶表示駆動部１４に与えられる。
【００５９】
液晶表示駆動部１４は、与えられる１フレーム分の映像信号に基づき、各液晶パネルを駆動する。これにより、各液晶パネルはフレームメモリから読み出した映像信号の階調信号に基づき駆動される。その結果、スクリーンＳＣには、映像信号による映像が表示される。
【００６０】
（映像信号の探索処理）
次に、図５〜図８を用いて、映像信号を探索するための探索処理について説明する。以下では、最初に、一般的な映像信号の探索処理を説明するとともに、その問題点について説明する。次に、本実施の形態による映像信号の探索処理を説明する。
【００６１】
ＣＰＵ１３は、リモコン４の「映像探索ボタン」の操作がなされたことによるリモコン受信部２０からのコマンド信号を受信すると、映像信号の探索を行なう。
【００６２】
具体的には、ＣＰＵ１３は、最初に、リモコン受信部２０から映像探索についてのコマンド信号を受信した時点で、入力信号切替部１１０が選択している映像信号を「初期入力信号」として記憶部（図示せず）に記憶する。
【００６３】
次に、ＣＰＵ１３は、ＯＳＤ回路５０により、図５に示すメニュー画面を表す映像信号を生成させ、当該映像を投写させる。図５のメニュー画面では、プロジェクタ１が表示可能な映像信号の一覧が表示されている。なお、このメニュー画面は、ユーザが表示したい映像信号の種類を切り替えたいときにおいても、リモコン４の「入力切替ボタン」の操作がなされたことに応答して表示される。
【００６４】
図５のメニュー画面では、プロジェクタ１が表示可能な映像信号が並んで表示されるとともに、初期入力信号を指し示すためのカーソルが表示される。たとえば、初期入力信号が「Ｖｉｄｅｏ信号」である場合には、Ｖｉｄｅｏ信号の項目に位置するように、カーソルが表示される。
【００６５】
ＣＰＵ１３は、入力信号切替部１１０により、初期入力信号の次の選択順番の映像信号を選択させる。たとえば、初期入力信号が「Ｖｉｄｅｏ信号」である場合には、映像信号の選択順番は、「ＲＧＢ  ＰＣ  Ａｎａｌｏｇ信号」→「ＲＧＢ  ＳＣＡＲＴ信号」→「ＲＧＢ  Ｄｉｇｉｔａｌ信号」→「ＨＤＣＰ信号」→「Ｖｉｄｅｏ信号」・・・というように循環する。入力信号切替部１１０は、入力端子９Ａ１→９Ａ２→９Ｄ１→９Ａ３・・・を順番に選択することにより、映像信号を上記の順番で切り替える。
【００６６】
ＣＰＵ１３は、同期信号検出部１１２により、選択された映像信号に対応する入力端子について、映像信号の入力の有無を確認させる。映像信号の入力がなかった場合には、ＣＰＵ１３は、選択している映像信号の次の選択順番の映像信号を選択させる。そして、当該映像信号の入力の有無を同期信号検出部１１２により確認させる。このようにして、ＣＰＵ１３は、すべての映像信号について探索を行なう。
【００６７】
図６は、一般的な映像信号の探索処理を説明するフローチャートである。
一般的な映像信号の探索処理は、図６に示すように、リモコン４の「映像探索ボタン」の操作がなされたことによるリモコン受信部２０からのコマンド信号を受信すると（ステップＳ０１）、ＣＰＵ１３は、ＯＳＤ回路５０により、図５に示すメニュー画面を表す映像信号を生成させ、当該映像を投写させる（ステップＳ０２）。
【００６８】
ステップＳ０３では、ＣＰＵ１３は、入力信号切替部１１０により、映像信号の切替処理を実行する。たとえば、図５に示すように、初期入力信号が「Ｖｉｄｅｏ信号」である場合には、ＣＰＵ１３は、「Ｖｉｄｅｏ信号」の次の選択順番の映像信号である「ＲＧＢ  ＰＣ  Ａｎａｌｏｇ信号」を選択させる。入力信号切替部１１０は、ＣＰＵ１３からの選択信号に従い、入力端子９Ａ１を選択する。
【００６９】
ステップＳ０４では、ＣＰＵ１３は、同期信号検出部１１２により、選択された入力端子９Ａ１にＲＧＢ  ＰＣ  Ａｎａｌｏｇ信号が供給されているか否かを、ＲＧＢ  ＰＣ  Ａｎａｌｏｇ信号に含まれている同期信号の有無を確認することにより、識別する。
【００７０】
ＲＧＢ  ＰＣ  Ａｎａｌｏｇ信号の入力があった場合（ステップＳ０４のＹＥＳ判定時）には、ＣＰＵ１３は、ＯＳＤ回路５０によりメニュー画面（図５）を閉じさせるとともに、入力が確認されたＲＧＢ  ＰＣ  Ａｎａｌｏｇ信号により映像を投写させる（ステップＳ０５）。
【００７１】
一方、ＲＧＢ  ＰＣ  Ａｎａｌｏｇ信号の入力がなかった場合（ステップＳ０４のＮＯ判定時）には、ＣＰＵ１３は、入力信号切替部１１０により、「ＲＧＢ  ＰＣ  Ａｎａｌｏｇ信号」の次の選択順番の映像信号である「ＲＧＢ  ＳＣＡＲＴ信号」を選択させる。入力信号切替部１１０は、ＣＰＵ１３からの選択信号に従い、入力端子９Ａ２を選択する。
【００７２】
ステップＳ０６では、ＣＰＵ１３は、同期信号検出部１１２により、選択された入力端子９Ａ２にＲＧＢ  ＳＣＡＲＴ信号が供給されているか否かを、ＲＧＢ  ＳＣＡＲＴ信号に含まれている同期信号の有無を確認することにより、識別する。ＲＧＢ  ＳＣＡＲＴ信号の入力があった場合（ステップＳ０６のＹＥＳ判定時）には、ＣＰＵ１３は、ＯＳＤ回路５０によりメニュー画面（図５）を閉じさせるとともに、入力が確認されたＲＧＢ  ＳＣＡＲＴ信号により映像を投写させる（ステップＳ０７）。
【００７３】
一方、ＲＧＢ  ＳＣＡＲＴ信号の入力がなかった場合（ステップＳ０６のＮＯ判定時）には、ＣＰＵ１３は、入力信号切替部１１０により、「ＲＧＢ  ＳＣＡＲＴ信号」の次の選択順番の映像信号である「ＲＧＢ  Ｄｉｇｉｔａｌ信号」を選択させる。入力信号切替部１１０は、ＣＰＵ１３からの選択信号に従い、入力端子９Ｄ１を選択する。
【００７４】
ステップＳ０８では、ＣＰＵ１３は、同期信号検出部１１２により、選択された入力端子９Ｄ１にＲＧＢ  Ｄｉｇｉｔａｌ信号が供給されているか否かを、ＲＧＢ  Ｄｉｇｉｔａｌ信号に含まれている同期信号の有無を確認することにより、識別する。ＲＧＢ  Ｄｉｇｉｔａｌ信号の入力があった場合（ステップＳ０８のＹＥＳ判定時）には、ＣＰＵ１３は、ＯＳＤ回路５０によりメニュー画面（図５）を閉じさせるとともに、入力が確認されたＲＧＢ  Ｄｉｇｉｔａｌ信号により映像を投写させる（ステップＳ０９）。
【００７５】
一方、ＲＧＢ  Ｄｉｇｉｔａｌ信号の入力がなかった場合（ステップＳ０８のＮＯ判定時）には、ＣＰＵ１３は、入力信号切替部１１０により、「ＲＧＢ  Ｄｉｇｉｔａｌ信号」の次の選択順番の映像信号である「ＨＤＣＰ信号」を選択させる。入力信号切替部１１０は、ＣＰＵ１３からの選択信号に従い、入力端子９Ｄ１を選択する。
【００７６】
ステップＳ１０では、ＣＰＵ１３は、同期信号検出部１１２により、選択された入力端子９Ｄ１にＨＤＣＰ信号が供給されているか否かを、ＨＤＣＰ信号に含まれている同期信号の有無を確認することにより、識別する。ＨＤＣＰ信号の入力があった場合（ステップＳ１０のＹＥＳ判定時）には、ＣＰＵ１３は、ＯＳＤ回路５０によりメニュー画面（図５）を閉じさせるとともに、入力が確認されたＨＤＣＰ信号により映像を投写させる（ステップＳ１１）。
【００７７】
一方、ＨＤＣＰ信号の入力がなかった場合（ステップＳ１０のＮＯ判定時）には、ＣＰＵ１３は、入力信号切替部１１０により、「ＨＤＣＰ信号」の次の選択順番の映像信号である「Ｖｉｄｅｏ信号」を選択させる。入力信号切替部１１０は、ＣＰＵ１３からの選択信号に従い、入力端子９Ａ３を選択する。
【００７８】
ステップＳ１２では、ＣＰＵ１３は、同期信号検出部１１２により、選択された入力端子９Ａ３にＶｉｄｅｏ信号が供給されているか否かを、Ｖｉｄｅｏ信号に含まれている同期信号の有無を確認することにより、識別する。Ｖｉｄｅｏ信号の入力があった場合（ステップＳ１２のＹＥＳ判定時）には、ＣＰＵ１３は、ＯＳＤ回路５０によりメニュー画面（図５）を閉じさせるとともに、入力が確認されたＶｉｄｅｏ信号により映像を投写させる（ステップＳ１３）。
【００７９】
一方、Ｖｉｄｅｏ信号の入力がなかった場合（ステップＳ１２のＮＯ判定時）には、ＣＰＵ１３は、入力されている映像信号が一つも確認されなかった場合には、その旨を示す表示をＯＳＤ回路５０によりメニュー画面に追加する（ステップＳ１４）。
【００８０】
（一般的な映像信号の探索処理における問題点）
ここで、上述したように、入力端子９Ｄ１は、ＤＶＩ−Ｄ端子であり、ＲＧＢ  Ｄｉｇｉｔａｌ信号と、ＨＤＣＰ信号とに対応している。したがって、図６に示す映像信号の探索処理において、ステップＳ０８により「ＲＧＢ  Ｄｉｇｉｔａｌ信号」の探索を行なう際に、入力端子９Ｄ１にＨＤＣＰ信号が入力されている場合には、ＣＰＵ１３は、ＨＤＣＰ信号に含まれる同期信号を検出して、同期信号有りと判定してしまう。このとき、ＨＤＣＰに従う認証に失敗していれば、映像ソース２Ｄからはスクランブルがかけられた映像信号が送信される。そのため、ＣＰＵ１３が、同期信号の判定結果から、ＲＧＢ  Ｄｉｇｉｔａｌ信号の入力有りと誤って判断することによって、ステップＳ０９によって、スクランブルがかけられた映像信号による映像が表示されることとなる。
【００８１】
（本実施の形態による映像信号の探索処理）
このような映像信号の探索における誤動作を回避するために、本実施の形態による映像信号の探索処理では、上述した一般的な映像信号の探索処理に対して、映像信号の探索順序を変更する。以下に、図７および図８を用いて、本実施の形態による映像信号の探索処理について説明する。
【００８２】
図７は、本実施の形態における映像信号の探索処理手順を説明するフローチャートである。
【００８３】
図７を図６と比較して、ＣＰＵ１３は、図６に示したステップＳ０３〜Ｓ１３を、ステップＳ２３〜Ｓ３３に置換した、ステップＳ０１，Ｓ０２，Ｓ２３〜Ｓ３３，Ｓ１４による一連の処理を実行する。ステップＳ０１，Ｓ０２，Ｓ１４による処理は、図６と同様であるので、説明は繰返さない。
【００８４】
ＣＰＵ１３は、ステップＳ２３では、入力信号切替部１１０により、映像信号の切替処理を実行する。図８には、ステップＳ２３による映像信号切替処理の手順が示される。
【００８５】
図８を参照して、ステップＳ４１では、ＣＰＵ１３は、初期入力信号がどの映像信号かを判定する。ＣＰＵ１３は、映像探索操作がなされた時点で選択されている映像信号を検出し、その検出した映像信号を初期入力信号とする。
【００８６】
次に、ＣＰＵ１３は、初期入力信号の種類に応じて、探索処理において最初に探索を行なう映像信号を決定する。なお、上記の一般的な映像信号の探索処理では、プロジェクタ１で表示可能な映像信号の一覧を示すメニュー画面（図５）のうち、初期入力信号の次の選択順番の映像信号から探索を開始させることとしており、この点において、両者は相違する。
【００８７】
初期入力信号が「ＲＧＢ  ＰＣ  Ａｎａｌｏｇ信号」であるときには、ＣＰＵ１３は、「ＲＧＢ  ＳＣＡＲＴ信号」から探索を開始させる（ステップＳ４２）。また、初期入力信号が「ＲＧＢ  ＳＣＡＲＴ信号」または「ＲＧＢ  Ｄｉｇｉｔａｌ信号」であるときには、ＣＰＵ１３は、「ＨＤＣＰ信号」から探索を開始させる（ステップＳ４３）。
【００８８】
これに対し、初期入力信号が「ＨＤＣＰ信号」であるときには、ＣＰＵ１３は、ＨＤＣＰ信号に対応する入力端子９Ｄ１に、現在映像信号が供給されているか否かを判定する（ステップＳ４４）。入力端子９Ｄ１に映像信号が供給されているとき（ステップＳ４４のＹＥＳ判定時）には、ＣＰＵ１３は、「Ｖｉｄｅｏ信号」から探索を開始させる（ステップＳ４５）。
【００８９】
一方、入力端子９Ｄ１に映像信号が供給されていないとき（ステップＳ４４のＮＯ判定時）には、ＣＰＵ１３は、「ＲＧＢ  Ｄｉｇｉｔａｌ信号」から探索を開始させる（ステップＳ４６）。
【００９０】
また、初期入力信号が「Ｖｉｄｅｏ信号」であるときには、ＣＰＵ１３は、「ＲＧＢ  ＰＣ  Ａｎａｌｏｇ信号」から探索を開始させる（ステップＳ４７）。
【００９１】
以上の手順に従って、初期入力信号の種類に応じて最初に探索を行なう映像信号を決定すると、ＣＰＵ１３は、全ての映像信号について、映像信号が検出されるまで順次探索を行なう。そして、映像信号が検出された場合には、当該映像信号に基づく映像を表示させる（ステップＳ４８）。
【００９２】
再び図７を参照して、ステップＳ２３において、たとえば、初期入力信号が「Ｖｉｄｅｏ信号」である場合には、映像信号の選択順番は、「ＲＧＢ  ＰＣ  Ａｎａｌｏｇ信号」→「ＲＧＢ  ＳＣＡＲＴ信号」→「ＨＤＣＰ信号」→「ＲＧＢ  Ｄｉｇｉｔａｌ信号」→「Ｖｉｄｅｏ信号」・・・というように循環する。入力信号切替部１１０は、入力端子９Ａ１→９Ａ２→９Ｄ１→９Ａ３・・・を順番に選択することにより、映像信号を上記の順番で切り替える。
【００９３】
ＣＰＵ１３は、同期信号検出部１１２により、選択された映像信号に対応する入力端子について、映像信号の入力の有無を確認させる。映像信号の入力がなかった場合には、ＣＰＵ１３は、選択している映像信号の次の選択順番の映像信号を選択させる。そして、当該映像信号の入力の有無を同期信号検出部１１２により確認させる。このようにして、ＣＰＵ１３は、すべての映像信号について探索を行なう。
【００９４】
ステップＳ２４では、ＣＰＵ１３は、同期信号検出部１１２により、選択された入力端子９Ａ１にＲＧＢ  ＰＣ  Ａｎａｌｏｇ信号が供給されているか否かを、ＲＧＢ  ＰＣ  Ａｎａｌｏｇ信号に含まれている同期信号の有無を確認することにより、識別する。
【００９５】
ＲＧＢ  ＰＣ  Ａｎａｌｏｇ信号の入力があった場合（ステップＳ２４のＹＥＳ判定時）には、ＣＰＵ１３は、ＯＳＤ回路５０によりメニュー画面（図５）を閉じさせるとともに、入力が確認されたＲＧＢ  ＰＣ  Ａｎａｌｏｇ信号により映像を投写させる（ステップＳ２５）。
【００９６】
一方、ＲＧＢ  ＰＣ  Ａｎａｌｏｇ信号の入力がなかった場合（ステップＳ２４のＮＯ判定時）には、ＣＰＵ１３は、入力信号切替部１１０により、「ＲＧＢ  ＰＣ  Ａｎａｌｏｇ信号」の次の選択順番の映像信号である「ＲＧＢ  ＳＣＡＲＴ信号」を選択させる。入力信号切替部１１０は、ＣＰＵ１３からの選択信号に従い、入力端子９Ａ２を選択する。
【００９７】
ステップＳ２６では、ＣＰＵ１３は、同期信号検出部１１２により、選択された入力端子９Ａ２にＲＧＢ  ＳＣＡＲＴ信号が供給されているか否かを、ＲＧＢ  ＳＣＡＲＴ信号に含まれている同期信号の有無を確認することにより、識別する。ＲＧＢ  ＳＣＡＲＴ信号の入力があった場合（ステップＳ２６のＹＥＳ判定時）には、ＣＰＵ１３は、ＯＳＤ回路５０によりメニュー画面（図５）を閉じさせるとともに、入力が確認されたＲＧＢ  ＳＣＡＲＴ信号により映像を投写させる（ステップＳ２７）。
【００９８】
一方、ＲＧＢ  ＳＣＡＲＴ信号の入力がなかった場合（ステップＳ２６のＮＯ判定時）には、ＣＰＵ１３は、入力信号切替部１１０により、「ＨＤＣＰ信号」を選択させる。入力信号切替部１１０は、ＣＰＵ１３からの選択信号に従い、入力端子９Ｄ１を選択する。
【００９９】
図７に示す探索処理では、「ＨＤＣＰ信号」の探索を、「ＲＧＢ  Ｄｉｇｉｔａｌ信号」の探索よりも先に実行する。この点において、「ＲＧＢ  ＳＣＡＲＴ信号」の次の選択順番の映像信号である「ＲＧＢ  Ｄｉｇｉｔａｌ信号」を選択させる、図６に示した探索処理（特に、ステップＳ０８）とは相違する。これにより、ＲＧＢ  Ｄｉｇｉｔａｌ信号の探索中において、入力端子９Ｄ１から入力されるスクランブルがかかった映像信号が誤って表示されるのを防止することができる。
【０１００】
ステップＳ２８では、ＣＰＵ１３は、同期信号検出部１１２により、選択された入力端子９Ｄ１にＨＤＣＰ信号が供給されているか否かを、ＨＤＣＰ信号に含まれている同期信号の有無を確認することにより、識別する。ＨＤＣＰ信号の入力があった場合（ステップＳ２８のＹＥＳ判定時）には、ＣＰＵ１３は、ＯＳＤ回路５０によりメニュー画面（図５）を閉じさせるとともに、入力が確認されたＨＤＣＰ信号により映像を投写させる（ステップＳ２９）。
【０１０１】
一方、ＨＤＣＰ信号の入力がなかった場合（ステップＳ２８のＮＯ判定時）には、ＣＰＵ１３は、入力信号切替部１１０により、「ＲＧＢ  Ｄｉｇｉｔａｌ信号」を選択させる。入力信号切替部１１０は、ＣＰＵ１３からの選択信号に従い、入力端子９Ｄ１を選択する。
【０１０２】
ステップＳ３０では、ＣＰＵ１３は、同期信号検出部１１２により、選択された入力端子９Ｄ１にＲＧＢ  Ｄｉｇｉｔａｌ信号が供給されているか否かを、ＲＧＢ  Ｄｉｇｉｔａｌ信号に含まれている同期信号の有無を確認することにより、識別する。ＲＧＢ  Ｄｉｇｉｔａｌ信号の入力があった場合（ステップＳ３０のＹＥＳ判定時）には、ＣＰＵ１３は、ＯＳＤ回路５０によりメニュー画面（図５）を閉じさせるとともに、入力が確認されたＲＧＢ  Ｄｉｇｉｔａｌ信号により映像を投写させる（ステップＳ３１）。
【０１０３】
一方、ＲＧＢ  Ｄｉｇｉｔａｌ信号の入力がなかった場合（ステップＳ３０のＮＯ判定時）には、ＣＰＵ１３は、入力信号切替部１１０により、「Ｖｉｄｅｏ信号」を選択させる。入力信号切替部１１０は、ＣＰＵ１３からの選択信号に従い、入力端子９Ａ３を選択する。
【０１０４】
ステップＳ３２では、ＣＰＵ１３は、同期信号検出部１１２により、選択された入力端子９Ａ３にＶｉｄｅｏ信号が供給されているか否かを、Ｖｉｄｅｏ信号に含まれている同期信号の有無を確認することにより、識別する。Ｖｉｄｅｏ信号の入力があった場合（ステップＳ３２のＹＥＳ判定時）には、ＣＰＵ１３は、ＯＳＤ回路５０によりメニュー画面（図５）を閉じさせるとともに、入力が確認されたＶｉｄｅｏ信号により映像を投写させる（ステップＳ３３）。
【０１０５】
一方、Ｖｉｄｅｏ信号の入力がなかった場合（ステップＳ３２のＮＯ判定時）には、ＣＰＵ１３は、入力されている映像信号が一つも確認されなかった場合には、その旨を示す表示をＯＳＤ回路５０によりメニュー画面に追加する（ステップＳ１４）。
【０１０６】
このように本発明の実施の形態に従う映像表示装置による映像信号の探索処理では、ＨＤＣＰ信号の探索を、ＲＧＢ  Ｄｉｇｉｔａｌ信号の探索よりも先に実行する。また、初期入力信号がＨＤＣＰ信号である場合には、ＲＧＢ  Ｄｉｇｉｔａｌ信号をスキップして、ＲＧＢ  Ｄｉｇｉｔａｌ信号以外の映像信号から探索を開始する。このような構成としたことにより、ＲＧＢ  Ｄｉｇｉｔａｌ信号を探索したときにスクランブルがかかった映像信号による映像が誤って表示されるのを防止することができる。
【０１０７】
また、本実施の形態では、プロジェクタとして液晶プロジェクタを採用したが、これに限定されるものではない。たとえば、ＤＬＰ（Digital Light Processing）（登録商標）方式のプロジェクタ等の他の方式のプロジェクタに本発明の技術を採用してもよい。
【０１０８】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【符号の説明】
【０１０９】
１  プロジェクタ、２Ａ，２Ｄ  映像ソース、３  デジタル伝送路、４  リモコン、７  アナログ伝送路、９Ａ１〜９Ａ３，９Ｄ１  入力端子、９  入力部、１０  レシーバ部、１１  映像信号処理回路、１２  ＤＡＣ、１３  ＣＰＵ、１４  液晶表示駆動部、１５  光学系、１６  ランプ、１７  電源ユニット、１８  プラグ、１９  コネクタ、２０  リモコン受信部、５０  ＯＳＤ回路、１０２  レシーバ、１１０  入力信号切替部、１１２  同期信号検出部、１１４  映像信号処理部、ＳＣ  スクリーン、ＳＷ  スイッチ。
【図１】
2011087176.tif 000003
【図２】
2011087176.tif 000004
【図３】
2011087176.tif 000005
【図４】
2011087176.tif 000006
【図５】
2011087176.tif 000007
【図６】
2011087176.tif 000008
【図７】
2011087176.tif 000009
【図８】
2011087176.tif 000010